(57)【要約】【課題】簡単な構成で位置情報や操作情報を離れた位置にあるコンピュータに入力可能とする。【解決手段】コンピュータ２の情報を例えばプロジェクタ３によりスクリーン４上に画像を投影し、この投影画像４ａを説明者（プレゼンタ）５が入力装置１によって指し示しながら説明を行う。入力装置１の先端の指示部１ｂには加速度センサが埋め込まれ、この加速度センサによって位置情報を検知する。また、入力装置１の基端部１ａには、操作ボタン７、８が設けられるとともに無線送信機６が埋め込まれ、ここから位置情報や操作情報をコンピュータ２に送信する。さらに、入力装置１の先端の指示部１ｂには、レーザダイオードが組み込まれ、レーザポインタとしても機能する。【選択図】  図２
2004310528.tif 000002
【特許請求の範囲】
【請求項１】
コンピュータの情報が投影された投影画像を指し示し、その指し示す位置の位置情報をコンピュータに入力する入力装置であって、
投影画像上での指示位置を検知するセンサとして加速度センサを備えるとともに、マウスの右クリックボタン及び左クリックボタンに相当する操作ボタンを備え、
さらに、前記加速度センサの位置情報及び操作ボタンの操作情報をコンピュータに送信する無線送信機を備えることを特徴とする入力装置。
【請求項２】
指示棒としての形態を有することを特徴とする請求項１記載の入力装置。
【請求項３】
先端にレーザダイオードを備えることを特徴とする請求項１記載の入力装置。
【請求項４】
前記加速度センサとして、直交する一対の加速度センサを備え、これら一対の加速度センサによってＸ軸方向及びＹ軸方向の座標情報を検知することを特徴とする請求項１記載の入力装置。
【発明の詳細な説明】
【０００１】
【発明の属する技術分野】
本発明は、例えばコンピュータの情報をスクリーン上に投影してプレゼンテーションを行う際に使用する入力装置に関するものである。
【０００２】
【従来の技術】
従来、コンピュータの情報をスクリーン上に投影してのプレゼンテーションが広く行われている。このようなプレゼンテーションにおいて、発表者は、スクリーンの近くで指示棒を使用し、スクリーン上に投影された投影画像の任意の点を指し示しながら説明を行う。この場合、プレゼンテーションを行う時には、発表者が指示棒によりスクリーンを指し示し、画面を切り替える時には、別の人がコンピュータを操作して切り替える必要があり、操作が煩雑であるという欠点がある。また、発表者の意志通り表示画面を切り替えることは難しい。
【０００３】
そこで、このようなプレゼンテーションに用いる指示棒として、指し示す位置の情報をコンピュータに入力することが可能で、例えばその位置信号を基にコンピュータの制御を行い、あるいは投影画像の変更を行うものが、ポインティングデバイスの１種である無線デジタイザとして提案されている（例えば、特許文献１や特許文献２等を参照）。
【０００４】
例えば、特許文献１に記載される無線デジタイザは、指示棒の先端に発光素子を取り付けてなるものであり、この発光素子から発光される拡散光を投影レンズの近くに設けた検出器によって捕らえ、検出器から位置座標信号を出力する。特許文献２に記載される無線デジタイザは、指示棒の先端に超音波スピーカを設置してなるものであり、ここから送信される超音波をスクリーンの周囲に配したマイクで受信し、超音波の送受信に要する伝送時間に基づいて位置情報を得る。
【０００５】
【特許文献１】
特開２００１−２０９４９３号公報
【０００６】
【特許文献２】
特開２００１−１２５７３７号公報
【０００７】
【発明が解決しようとする課題】
しかしながら、特許文献１や特許文献２に記載されるような光や音を利用して位置情報を得る無線デジタイザでは、光を検出する検出器や音を受信するマイク等を別途用意する必要があり、装置構成が煩雑になるばかりか、設定作業も煩雑になる。
【０００８】
本発明は、このような従来の実情に鑑みて提案されたものであり、コンピュータで広く用いられているマウスやデジタイザ等と同様、簡単な構成で位置情報や操作情報をコンピュータに入力することができ、煩雑な装置構成や設定作業が不要な入力装置を提供することを目的とする。
【０００９】
【課題を解決するための手段】
上述した目的を達成するために、本発明の入力装置は、コンピュータの情報が投影された投影画像を指し示し、その指し示す位置の位置情報をコンピュータに入力する入力装置であって、投影画像上での指示位置を検知するセンサとして加速度センサを備えるとともに、マウスの右クリックボタン及び左クリックボタンに相当する操作ボタンを備え、さらに、前記加速度センサの位置情報及び操作ボタンの操作情報をコンピュータに送信する無線送信機を備えることを特徴とするものである。
【００１０】
以上の構成の入力装置では、加速度センサにより位置情報を検知する。加速度センサは、ポインティングデバイスを動かした時に、これを加速度として検知し、加速度の大きさ、加速度が加わる時間等に基づいて座標上での位置情報を得るものである。したがって、光や音により位置情報を検知する無線デジタイザと異なり、光検出器やマイク等、余計な構成は不要であり、またこれら光検出器やマイク等との間での煩雑な設定も不要である。
【００１１】
【発明の実施の形態】
以下、本発明を適用した入力装置について、図面を参照しながら詳細に説明する。
【００１２】
本発明の入力装置１は、図１に示すように、コンピュータ２の情報を例えばプロジェクタ３によりスクリーン４上に画像を投影し、この投影画像４ａを説明者（プレゼンタ）５が指し示しながら説明を行う際に、ポインティングデバイスとして使用するものである。
【００１３】
入力装置１は、指示棒としての形態を有するとともに、例えば伸縮自在とされ、使用時には通常は伸ばした状態とする。プレゼンタ５は、説明に応じてその先端でスクリーン４上の投影画像の所定のポイントを指し示し、プレゼンテーションを行う。入力装置１によって指し示された位置には、例えばカーソルが表示され、入力装置１の指し示す位置に追随して移動する。すなわち、この入力装置１は、マウス等と同様、コンピュータの入力装置として機能するものであり、指示棒の先端をスクリーン４と接触させなくとも、その動きを位置情報に変換して無線によりコンピュータ２に送信する。
【００１４】
図２は、前記入力装置１及びコンピュータ２を拡大して示すものである。
【００１５】
前記指示棒である入力装置１は、本例では６段の伸縮棒であり、その最も太い基端部１ａをプレゼンタ５が把持し、ポインタとして使用する。その先端には、若干大径を有する指示部１ｂが取り付けられている。この指示部１ｂには、図示は省略するが、位置情報を検知するための加速度センサが取り付けられている。
【００１６】
加速度センサは、入力装置１を動かした時に、これを加速度として検知し、加速度の大きさ、加速度が加わる時間等に基づいて座標上での位置情報を得る。例えば、直交する一対の加速度センサを設け、これら一対の加速度センサによってＸ軸方向及びＹ軸方向の座標情報を検知するようにすれば、前記指示部１ｂのスクリーン４上での動きを全て検知することができ、マウス等の場合と同様、コンピュータ２に位置情報を送ることができる。
【００１７】
本実施形態では、加速度センサで検知した位置情報は、無線送信機６を介して離れた位置にあるコンピュータ２に送られ、コンピュータ２においてデータ処理が行われる。コンピュータ２は、加速度センサからの位置情報に基づいて、例えばスクリーン４上の投影画像４ａにカーソル等を表示する。
【００１８】
無線送信機６は、入力装置１の基端部１ａに埋め込まれており、コンピュータ２に設けられた受信部２ａにより、ここから送信される位置情報を受信する。なお、無線送信機６からは画面切替信号等をコンピュータ２に送信することもでき、プレゼンタ５は、説明に応じて自分で画面切替等を行うこともできる。
【００１９】
すなわち、前記入力装置１は、その基端部１ａにマウスの右クリックボタン及び左クリックボタンに相当する操作ボタン７、８を備えており、これらを操作（クリック）することで、マウスと同様、様々な操作を行うことができる。例えば、操作ボタン７は、マウスの左クリックボタンに相当し、各種項目の選択や決定を行うことができる。操作ボタン８は、マウスの右クリックボタンに相当し、サブメニューの表示等を行うことができる。
【００２０】
これら操作ボタン７、８をクリックすることにより、操作情報が無線送信機６からコンピュータ２に送信され、コンピュータ２では、これら操作情報に応じて処理を行う。
【００２１】
また、前記入力装置１の先端に設けられた指示部１ｂには、前記加速度センサの他、レーザダイオードが組み込まれており、これに対応して基端部１ａにはレーザポインタ操作ボタン９が設けられている。このレーザダイオードは、レーザポインタ操作ボタン９を操作することによりレーザ光を発するものであり、指示棒（入力装置１）の先端がスクリーン４から離れている場合でも、いわゆるレーザポインタとして指し示すこともでき、前記カーソルの表示と相俟って、聴衆にわかりやすい状態で投影画面４ａ上での操作が可能である。
【００２２】
【発明の効果】
以上の説明からも明らかなように、本発明のプレゼンテーションシステムによれば、コンピュータの分野で広く用いられているマウスやデジタイザ等と同様、簡単な構成のポインティングデバイスで位置情報をコンピュータに入力することができ、煩雑な装置構成や設定作業を不要とすることができる。また、操作ボタンにより、例えば、画面の切替や画面上に表示される項目の選択、決定等の操作も行うことができ、さらにはレーザポインタとしても使用することが可能である。したがって、プレゼンタは、自分の意志通りのプレゼンテーションを快適に行うことができる。
【図面の簡単な説明】
【図１】本発明の入力装置が用いられるプレゼンテーションシステムの概略構成を示す図である。
【図２】入力装置及びコンピュータを示す図である。
【符号の説明】
１        入力装置
２        コンピュータ
３        プロジェクタ
４        スクリーン
４ａ      投影画像
５        プレゼンタ
６        無線送信機
７，８    操作ボタン
【図１】
2004310528.tif 000003
【図２】
2004310528.tif 000004